(57)【要約】【課題】体腔内の外科手術、特に、Ｎｅｅｄｌｅｓｃｏｐｉｃ  ｓｕｒｇｅｒｙにおいて、粘性が増加した凝血塊の吸引・除去を可能とし、かつ、組織を傷つけず、傷つけられた組織の一部が吸引管内に巻き込まない外科手術用吸引器具を提供することである。【解決手段】  患者の体腔内の挿入され吸引対象物の吸引口となる先端部２ａと、患者の体外に在って術者が操作をする操作部４を繋ぐ外径３ｍｍ以下の管からなる吸引管２と、その内部に納められ、吸引管のほぼ全長に渡って配置され、吸引管の先端部で反転するＵ字型に折り曲げられた線材、あるいは、板材からなる回転体３と、回転体３を高速で回転する小型モーター４ａとから成る外科手術用吸引器具１。さらに、回転体３のＵ字型に折り曲げられた先端部３ａが、吸引管先端部２ａよりわずかに操作部４側に後退して位置する外科手術用吸引器具。【選択図】図２
2019129901.tif 000002
【特許請求の範囲】
【請求項１】
患者の体腔内の挿入され吸引対象物の吸引口となる先端部（以下「吸引管先端部」という。）と、該患者の体外に在って術者が操作をする操作部を繋ぐ吸引管と、
該吸引管の内部に納められ、該吸引管のほぼ全長に渡って配置され、該吸引管の先端部で反転するＵ字型に折り曲げられた線材、あるいは、板材からなる回転体と、
該回転体を高速で回転する小型モーターとから成る外科手術用吸引器具。
【請求項２】
請求項１記載の外科手術用吸引器具がであって、前記吸引管の外径が３ｍｍ以下である外科手術用吸引器具。
【請求項３】
請求項１または請求項２のいずれかに記載の外科手術用吸引器具であって、前記回転体のＵ字型に折り曲げられた先端部（以下「回転体先端部」という。）が、前記吸引管先端部よりわずかに前記操作部側に後退して位置する外科手術用吸引器具。
【発明の詳細な説明】
【技術分野】
【０００１】
本発明は、外科手術、特に、内視鏡手術、なかでも、Ｎｅｅｄｌｅｓｃｏｐｉｃ  ｓｕｒｇｅｒｙと呼ばれる内視鏡手術で用いられる吸引器具であって、洗浄水等だけではなく、凝血塊の吸引が可能な外科手術用吸引器具に関するものである。
【背景技術】
【０００２】
１９９０年以降、多くの外科領域の手術が内視鏡を用いて行われるようになった。この内視鏡を用いた手術、いわゆる、内視鏡手術において  従来は、メス、鉗子、凝固用電極等の処置器具類（以下、「手術鉗子等」という。）と内視鏡とは異なった皮膚切開孔から挿入し、その挿入のため少なくとも２カ所の皮膚切開孔が必要であり、処理の種類によっては３カ所以上の皮膚切開孔を設ける必要があった。この内視鏡手術を、以下「従来型内視鏡手術」と言うこととする。
【０００３】
従来型内視鏡手術を行う場合には、手術鉗子等や内視鏡を、胸壁や腹壁に設けたトローカルユニットの中を通して体腔内に挿入する必要がある。トローカルユニットはステンレスや合成樹脂の管であり、その内径は１５ｍｍ程度である。従って、そのトローカルユニットの内腔をスムースに通る必要がある手術鉗子等や内視鏡の外径は通常１０ｍｍ程度である。
【０００４】
最近は、手術を受ける患者の負担を軽減し、その術後の早期回復を図るため、内視鏡手術に用いられる皮膚切開孔の数を少なくし、その大きさも小さくすることを目的に、Ｎｅｅｄｌｅｓｃｏｐｉｃ  ｓｕｒｇｅｒｙと呼ばれる外径３ｍｍ以下の内視鏡を含んだ細径手術鉗子等を用いる内視鏡手術（以下、「従来型内視鏡手術」と分けて説明するために、「Ｎｅｅｄｌｅｓｃｏｐｉｃ  ｓｕｒｇｅｒｙ」と言う。）が普及している。
【０００５】
さて、これらの内視鏡手術で問題になるのは、凝血塊を体外に取り出す作業である。出血性疾患や外傷、あるいは、手術において生じた出血は、出血した直後は液体であるから、吸引管を体内に挿入して吸引により体外に取り出すことが出来る。
【０００６】
しかし、血液は出血してから数分で凝固しはじめ、次第に粘性が増加する。出血から３０分程度経過すると凝血塊となり、さらに時間と共に粘性の増加が進む。出血から１時間程度経過すると豆腐以上の硬さになる場合もある。このように時間が経過して粘性が増加した凝血塊は、従来型内視鏡手術で使われていた外径１０ｍｍ程度の吸引管と、通常手術室で吸引作業に用いられる真空ポンプ等からなる吸引装置の組み合わせでは力が不足して吸引・除去ができなくなる。
【０００７】
このような事態に至った場合、大きな創部を通して凝血塊を掻き出す以外に方法がなかった。そのためには、従来の開腹手術では創部を拡大する必要があり、内視鏡手術では凝血塊を掻き出すための新しい創部を作る必要があった。この方法を採用することが不適当な手術、例えば、多量の凝血塊が腹腔に生じる可能性がある婦人科領域の子宮外妊娠等は、生じるであろう凝血塊の除去が困難なため、はじめから内視鏡手術には不適応な疾患とされている。
【０００８】
Ｎｅｅｄｌｅｓｃｏｐｉｃ  ｓｕｒｇｅｒｙでは従来型内視鏡手術に比べて、この凝血塊を体外に取り出す作業の困難性はさらに深刻である。外径３ｍｍの管を吸引管として体腔内に挿入し、通常手術室で吸引作業に用いられる吸引装置により吸引を行っても、凝血塊を吸引して体腔外まで移動させるには力がまったく足りない。また、悪いことに、吸引管の中に入り込んだ凝血塊はその粘性で吸引管内壁に付着してその内腔を狭め、吸引管の小さい内断面積をさらに小さくして凝血塊の吸引・除去作業を不可能にしてしまう。
【０００９】
出血が生じた場合、これまでは通常、食塩水を供給して血液濃度を薄めたり、血管塞栓症などの治療に用いられる抗凝固薬を供給して、凝血塊の粘度の低下をはかりながら吸引しようとしてきたが、一旦  粘度が増加した凝血塊の吸引には、ほとんど効果が無い。
【００１０】
この粘性が増加した凝血塊をいかにして吸引・除去するかと言う問題を解決するために、吸引管の先端にブラシ状の毛を取付けて、固まり掛けた血液をそのブラシ部でこすってほぐしたり、生理的食塩水を吸引管に逆送することにより、吸引管の吸引口やその内腔を詰まらせている凝血塊を吹き飛ばす方法が試みられているが、いずれも充分な解決方法ではない。この問題を解決する器具や装置、あるいは、方法について、この出願に先立ち特許情報プラットホームを使って検索して見たが、先行する特許文献は見当たらなかった。
【００１１】
なお、粘性が増加した凝血塊の中は  内視鏡を挿入してもよく見えないから、上述のブラシ部でこすったり、あるいは、尖ったもので撹拌したりすると組織を傷つけてしまう恐れがある。組織そのものに損傷を与える危険があるうえに、傷つけられた組織の一部が吸引管内に巻き込まれ、さらに吸引を困難にする原因となり得る。
【００１２】
一方、体腔内から吸引により流体を吸引して体外に除去する器具や装置については、先行技術が存在する。例えば、内視鏡手術では、内視鏡により術野を見やすく維持するために、高頻度で洗浄を行う。この洗浄は、洗浄液を体腔内に供給し、その洗浄液に少量の血液や組織が混ざった液状の流体を体腔内から吸引して排出することにより行われる。この洗浄液を用いる外科手術用洗浄器具は各種開発されている。
【００１３】
特許文献1と特許文献２は、このような外科手術用洗浄器具の発明の一例である。特に、特許文献２の発明は内視鏡手術用に考えられた送水・吸引洗浄管に係るものであり、送水と吸引を行うなう送水・吸引洗浄管を多数の小さな貫通孔を設けた外筒で覆い、その環状部に弁の働きを有する同軸保持部を設けて、送水・吸引洗浄管と外筒の軸方向の相対位置を変えることにより、術野の一部を洗浄する局部洗浄と、腹腔内を広く洗浄する腹腔内洗浄を可能にすると共に、気腹ガスを吸引せずに洗浄液等を吸引でき、吸引に当たって腹腔内組織を巻き込まないことを、その効果としている。
【００１４】
これらの外科手術用洗浄器具はいずれも、洗浄水の送水機能と同時に吸引機能を有しているが、その吸引機能は  体腔内に供給した洗浄液や、その洗浄水に少量の血液や組織が混ざった流体を吸引・除去するために考えられたものであり、粘度の高い凝血塊の吸引・除去を対象としたものではない。
【００１５】
例えば、特許文献２の発明は、その実施例によれば、吸引する際に送水・吸引洗浄管に腹腔内組織を巻き込まないようにするため、外径が３ｍｍから４ｍｍの外筒に複数の直径約１ｍｍの丸穴を設けて、これで洗浄液と共に流入しようとする腹腔内組織を阻止しようとしている。この構成を用いて上述のような粘性が増加した凝血塊を吸引しようとすれば、すぐに丸穴が詰まってしまい、その目的を達することが出来なくなる。さらに吸引作業を続ければ、送水・吸引洗浄管そのものが詰まってしまい、その吸引機能を失ってしまう。
【先行技術文献】
【特許文献】
【００１６】
【特許文献１】特開平１０−１９３号公報
【特許文献２】特開２０１６−４９３６４号公報
【非特許文献】
【００１７】
【非特許文献１】無し
【発明の概要】
【発明が解決しようとする課題】
【００１８】
そこで、本発明が解決しようとする課題は、洗浄液やその洗浄水に少量の血液や組織が混ざった流体のみならず、粘性が増加した凝血塊の吸引・除去を可能とし、かつ、吸引対象物以外の組織を傷つけず、傷つけられた組織の一部が吸引管内に巻き込まない外科手術用吸引器具を提供することである。
【課題を解決するための手段】
【００１９】
本発明は、患者の体腔内の挿入され吸引対象物の吸引口となる先端部（以下「吸引管先端部」という。）と、該患者の体外に在って術者が操作をする操作部を繋ぐ吸引管と、
該吸引管の内部に納められ、該吸引管のほぼ全長に渡って配置され、該吸引管の先端部で反転するＵ字型に折り曲げられた線材、あるいは、板材からなる回転体と、
該回転体を高速で回転する小型モーターとから成る外科手術用吸引器具である。
【００２０】
吸引管の中のほぼ全長に渡って設けられ、吸引管の先端部で反転する、Ｕ字型に折り曲げられた線材、あるいは、板材からなる回転体を、小型モーターにより高速回転させながら、吸引管の先端部を凝血塊に接近させ、場合によってはその先端部を凝血塊の中に侵入させながら、通常手術室で吸引作業に用いられる吸引装置により吸引を行うことにより、洗浄液、血液、凝血塊等の吸引対象物のうち、もっとも吸引が難しい粘性が増加した凝血塊であっても、Ｕ字型の回転体の先端部で細分化できるので、吸引管で容易に体腔内から吸引し、体外に除去できる。
【００２１】
同時に、Ｕ字型に折り曲げられた線材、あるいは、板材からなる回転体は、高速回転による遠心力により吸引管の内壁に押し付けられながら回転するので、吸引管内壁に付着した凝血塊を常にこすり落とし、吸引管の全長に渡って、その内腔が閉塞しないように働く。
【００２２】
さらに、本発明は、上述の外科手術用吸引器具がであって、前記吸引管の外径が３ｍｍ以下である外科手術用吸引器具である。
【００２３】
上記の凝血塊を高速回転するＵ字型の回転体の先端部で細分化し、容易に体腔内から吸引して、体外に除去できる効果は、外径が３ｍｍ以下の吸引管を用いてもを発揮できる。吸引管の外径が３ｍｍ以下にすることにより、Ｎｅｅｄｌｅｓｃｏｐｉｃ  ｓｕｒｇｅｒｙにおいて使用可能となる。
【００２４】
また、本発明は、これらの外科手術用吸引器具であって、前記回転体のＵ字型に折り曲げられた先端部（以下「回転体先端部」という。）が、前記吸引管先端部よりわずかに前記操作部側に後退して位置する外科手術用吸引器具である。
【００２５】
吸引管先端部が、吸引対象物以外の臓器等の組織（以下「臓器等」と言う。）に接触する場合がある。その場合、吸引管の内腔は吸引作業の際に術野よりも低圧になっているので、接触された臓器等はわずかに内腔に引き寄せられ、高速回転するＵ字型の回転体先端部に接触して損傷することが考えられる。回転体先端部をわずかに吸引管先端部より後退した位置に置くことにより、この接触を避けることが出来る。
【００２６】
ちなみに、Ｎｅｅｄｌｅｓｃｏｐｉｃ  ｓｕｒｇｅｒｙで用いられるであろう外径３ｍｍの吸引管を例にとると、その内径はそれより小さくなり、２．８ｍｍ程度になる。この内径の吸引口に、通常手術室で吸引作業に用いられる吸引装置により大気圧の２０分の１の吸引圧を掛けた場合、臓器等は吸引口に中に引き込まれようとするが、臓器等は剛性を持っているので、吸い込まれて吸引管に入り込む量は０．１ｍｍ以下である。したがって、回転体先端部を吸引管先端部より０．２ｍｍ程度後退させておけば、臓器等が直接回転体先端部に接触することがなく、無用な損傷が起こることはない。その結果、損傷した臓器等の一部を吸引管内に巻き込むこともない。
【００２７】
なお、凝血塊は粘性が増加しても剛性を持たないので、吸引管先端部が容易にその中に侵入できる。したがって、回転体先端部をわずかに吸引管先端部より後退して位置させても、回転体の先端部で凝血塊を細分化する能力はほとんど衰えない。
【発明の効果】
【００２８】
本発明の外科手術用吸引器具は、通常手術室で吸引作業に利用される吸引装置を用いて、洗浄液やその洗浄水に少量の血液や組織が混ざった流体のみならず、粘性が増加した凝血塊の吸引・除去が可能である。さらに、回転体先端部を吸引管先端部よりわずかに後退した位置に置くことにより、臓器等が直接回転体先端部に接触することがなく、無用な損傷が起こることはなく、損傷した臓器等の一部を吸引管内に巻き込むことがない。この効果は、Ｎｅｅｄｌｅｓｃｏｐｉｃ  ｓｕｒｇｅｒｙにおいて用いうる外径が３ｍｍ以下の吸引管においても十分に発揮される。
【００２９】
本発明の外科手術用吸引器具を用いることにより、凝血塊を掻き出すための大きな皮膚切開孔を設ける必要が無く、吸引のために太い吸引管を別途皮膚切開孔を設けて挿入する必要も無いので、手術時間の短縮に繋がるほか、手術の外傷性分を低減し、手術の低侵襲化をもたらす。さらに、術後の創感染のリスクの減少、術後疼痛の改善、創治癒に要する期間の短縮等に貢献し、患者の負担を大きく軽減できる。また、Ｎｅｅｄｌｅｓｃｏｐｉｃ  ｓｕｒｇｅｒｙにおいては、吸引器具の挿入のための皮膚切開長を３ｍｍ以下に抑えることができるので、さらに患者への侵襲を抑え、創部に痕跡が残ることなく治癒するため、術後の審美性にも貢献する。
【図面の簡単な説明】
【００３０】
【図１】本発明の外科手術用吸引器具の実施例１の全体図である。
【図２】実施例１の外科手術用吸引器具を構成する吸引管の側面図（ａ）と回転体及び小型モーターの側面図（ｂ）の側面図である。
【図３】実施例１の外科手術用吸引器具の回転体の静止時の状態を示す図１のＡ部の拡大断面図である。
【図４】同じく回転体の回転時の状態を示すＡ部の拡大断面図である。
【図５】実施例１の外科手術用吸引器具を胸腔内に挿入した状態を表す説明図である。
【図６】胸腔内に挿入された実施例１の外科手術用吸引器具の先端部が、凝血塊に到達する前の状態を示す説明図である。
【図７】同先端部が、凝血塊に到達した状態を示す説明図である。
【図８】同先端部が、凝血塊の奥にある臓器等に近づいた状態を示す説明図である。
【図９】本発明の外科手術用吸引器具の実施例２の回転体の先端部の拡大図である。
【図１０】本発明の外科手術用吸引器具の実施例３の先端部の断面図である。
【図１１】同先端部が、臓器等に接触した状態を示す説明図である。
【発明を実施するための形態】
【００３１】
本発明の実施をするための形態について図面を参照しながら説明する。なお、本発明はかかる実施の形態には限定されず、本発明の範囲内でその具体的構造に種々の変更を加えて良いことは言うまでもない。また、以下の実施例はいずれも、凝血塊の取り出しが最も困難なＮｅｅｄｌｅｓｃｏｐｉ  ｓｕｒｇｅｒｙに用いられる外径の吸引管を用いたものである。開腹手術や従来型内視鏡手術で用いられるであろう、より大きな外径の吸引管の場合にも、本発明はこれら実施例を基に容易に展開できる。
【実施例１】
【００３２】
図１は本発明の外科手術用吸引器具の実施例１の全体図、図２はそれを構成する吸引管の側面図（ａ）と回転体及び小型モーターの側面図（ｂ）である。
【００３３】
本実施例の外科手術用吸引器具１は、吸引管２と、その内部に納められ吸引管のほぼ全長に渡って配置され、吸引管の先端部２ａで反転するＵ字型に折り曲げられた線材からなる回転体３を主要な構成要素とする。
【００３４】
本実施例では吸引管２として、Ｎｅｅｄｌｅｓｃｏｐｉｃ  ｓｕｒｇｅｒｙで使用可能な外径３ｍｍのステンレスチューブを用い、その内径はわずか２．８ｍｍである。一方、回転体３を構成する線材は、外径０．６ｍｍのピアノ線である。
【００３５】
吸引に寄与する吸引管内の有効面積を大きくとるためには、吸引管３の中に配置する回転体３を構成する線材の外径は細い方が良いが、小型モーター４ａにより回転力を与えた場合に、あまり細い線材ではねじれて絡まってしまい機能しない。多くの試行を重ねた結果、ねじれたり絡まったりしない最小の外径として、０．６ｍｍを採用した。
【００３６】
なお、開腹手術や従来型内視鏡手術では、より大きな外径の吸引管を用いることができ、吸引管内の有効面積も大きく取れるから、回転体を構成する線材として、外径が０．６ｍｍより大きいものも使用可能である。
【００３７】
吸引管２と回転体３は、吸引管に設けられた連結部４ｂの雌ねじと、回転体に結合された小型モーター４ａに設けられた小型モーター連結部４ｃの雄ねじにより一体化される。吸引管連結部４ｂに設けられた連絡管４ｄは、吸引されてきた流体や細分化された凝血塊等を分離・排出する装置を経て吸引装置へ繋がれている。なお、これらの装置は、通常手術室で吸引作業に用いられるものであり、ここには図示されていない。一方、小型モーター４ａは、３００ｒｐｍから５００ｒｐｍ程度の高速回転を与えられれば良い。市販のハンドミキサーなどに用いられるものが利用でき、電池、あるいは、外部電源から電力を供給する。
【００３８】
術者は、小型モーター４ａ、および、連結部４ｂ、４ｃから成る操作部４を把持し、外科手術用吸引器具先端部１ａを、吸引を行いたい術野に導く。吸引を行う際には、術者は吸引管３内に吸引圧を発生させる弁を操作すると共に、小型モーター４ａを回転させるスイッチを入れることにより外科手術用吸引器具１を起動して、吸引操作を開始する。
【００３９】
図３は、図１のＡ部、すなわち、吸引管先端部１ａ付近の拡大断面図であり、回転体３の静止時の状態を示す。また、図４は、同じＡ部の回転体３の回転時の拡大断面図である。
【００４０】
Ｕ字型に折り曲げられた回転体３は、吸引管２のほぼ全長に渡ってが配置され、その先端部３ａは、吸引管先端部２ａ付近にある。図３に示すように、Ｕ字型に折り曲げられて平行して伸びる２本のピアノ線の外側の巾Ｗは吸引管２の内径Ｄに比べて充分小さくなっているので、外科手術用吸引器具１を組立てる際に、回転体３を容易に吸引管２の内に挿入できる。
【００４１】
一方、術者が外科手術用吸引器具１を起動して、小型モーター４ａが回転体３を高速回転させると、回転体先端部３ａは粘性の増加した凝血塊や吸引の妨げになる固形物を粉砕し、吸引管２の有効内断面積が小さいにもかかわらず、通常手術室で吸引作業に用いられる吸引装置いより、支障なく吸引・排出を行うことが出来る。また、図４に示すように、回転体を構成するピアノ線は、高速回転による遠心力により吸引管２の内壁２ｂに押し付けられながら回転するので、吸引管内壁２ｂに付着した凝血塊を常にこすり落とし、吸引管の全長に渡ってその内腔が閉塞しないように働き、吸引・排出を容易にする。
【００４２】
つぎに、この外科手術用吸引器具１を用いての吸引作業について順を追って説明する。図５は外科手術用吸引器具１を胸腔内に挿入した状態を示す全体の説明図である。図６〜図８はその外科手術用吸引器具１の吸引管先端部２ａに着目し、図６は吸引管先端部２ａが凝血塊に到達する前の状態、図７は凝血塊に到達した状態、また、図８は凝血塊の奥にある臓器等に近づいた状態を、それぞれ示す説明図である。
【００４３】
図５は、外科手術用吸引器具１を胸腔６の中に挿入した状態を示している。この実施例では、胸腔６を構成する胸壁７と肺８の間に、内視鏡手術の際に胸腔内に供給した洗浄液に少量の血液や組織が混ざった流体（以下「洗浄液等」という）９と粘性の増加が進行しつつある凝血塊１０が存在し、これらを早急に吸引して体外に排出することが望まれている。
【００４４】
あらかじめ、吸引・排出すべき洗浄水等９や凝血塊１０に外科手術用吸引器具先端部１ａが到達しやすい位置、たとえば、脇の下の腋窩中心線状に大きさが３ｍｍの皮膚切開孔（図示されていない。）を設けて、そこから外科手術用吸引器具１を体内へ挿入する。
【００４５】
挿入された外科手術用吸引器具の先端部１ａは、図６に示すように、まず洗浄液等９の中に挿入され、連絡官４ｄに接続された吸引装置（図示されていない）の働きで洗浄液等を矢印Ｅの方向に吸引し、矢印Ｆの方向に送り、排出する。回転体３は高速回転を続けているから、洗浄液等９の中に細い吸引管２の中を通過しにくい大きさの固形物が存在しても、回転体先端部３ａにより粉砕され、スムースに排出できる。また、回転体３は高速回転によりに押し付けられて、吸引管内壁２ｂをこするように移動するから、吸引管内壁２ｂは付着物が堆積することはない。  
【００４６】
図７は、外科手術用吸引器具先端部１ａがさらに奥に挿入されて凝血塊１０の中に入った状態を示す。吸引装置が作動し、小型モーターの働きで回転体３は高速回転を続けている。粘性が増加しているとは言え凝塊血１０は剛性を有さないので、吸引管先端部２ａは容易にその中に進入できる。その進入に伴い、回転体先端部３ａは吸引管先端部の中に入ってきた凝血塊を捉え、その高速回転の力により細かく粉砕する。粉砕された凝血塊１０ａは、凝血塊と吸引管の間のわずかな隙間９ａを通って流れ込む洗浄液等９の流れに乗って、矢印Ｆの方向に送られて排出される。この場合も、回転体３は高速回転によりに押し付けられて吸引管内壁２ｂをこするように移動するから、吸引管内壁２ｂには粉砕されて送られる凝血塊が堆積し、吸引管の有効内断面積を狭めることはない。
【００４７】
図８は、外科手術用吸引器具先端部１ａがさらに奥に挿入されて臓器等１１に近づいた状態を示す。吸引管先端部２ａは臓器等１１により蓋をされた状態となり、吸引装置が働いていても、吸引管２内の流れは止まる。吸引管先端部２ａが完全に蓋された状態でなく、ごくわずかな洗浄液等９が漏れ混む様な状態であっても、吸引管２の中の流れは緩慢になり、ほぼ停滞する。術者は、別の皮膚切開孔から挿入された内視鏡で観察することにより、また、排出される液体の量が激減することに気づいて、吸引管先端部２ａが臓器等に接触し、外科手術用吸引器具１をそれ以上推し進める必要が無いことを認識できる。したがって、誤って臓器等１１を傷つけることはない。
【００４８】
この場合、吸引管先端部２ａから吸引管２の中に入ってくる凝血塊はないので、回転端先端部３ａは凝血塊を粉砕することなく、回転を続けることとなる。
【実施例２】
【００４９】
次に、本発明の外科手術用吸引器具の実施例２について説明する。この実施例の外科手術用吸引器具は、回転体の形状が違う以外は実施例１の外科手術用吸引器具１と変わらないので、回転体の形状についてのみ説明する。図９は、本発明の外科手術用吸引器具の実施例２の回転体２３の先端部の拡大図である。
【００５０】
実施例１では、吸引管２として外径３ｍｍ、内径２．８ｍｍのステンレスチューブが用いられ、回転体３を構成する線材は、外径０．６ｍｍのピアノ線であった。この実施例２の外科手術用吸引器具では、同じ寸法の吸引管を使用し、回転体２３は巾ｄが０．８ｍｍ、厚さｔが０．４ｍｍの細長い板材をＵ字型に折り曲げたもので構成する。この板材で構成されて回転体２３は、実施例１の場合と同じように、吸引管のほぼ全長に渡って配置され、小型モーターにより高速回転する。
【００５１】
板材により構成された回転体２３の、作用・効果は実施例１の回転体３と同様であるが、回転により動く方向に直角な面を持っており、かつ、厚さが薄いので容易に遠心力で吸引管内壁に押しつっけられやすい形状から、凝血塊の破砕や、吸引管内壁に付着した凝血塊をこすり落とす機能はやや高いと考えられる。
【００５２】
なお、開腹手術や従来型内視鏡手術では、より大きな外径の吸引管を用いることができ、吸引管内の有効面積も大きく取れるから、回転体を構成する板材として、巾ｄが０．８ｍｍ、厚さｔが０．４ｍｍより大きい板材でも回転体の構成が可能である。  
【実施例３】
【００５３】
次に、本発明の外科手術用吸引器具の実施例３について説明する。この実施例の外科手術用吸引器具３１は、吸引管３２の先端部３２ａと回転体３３の先端部３３ａの関係位置が違う以外は実施例１の外科手術用吸引器具１と変わらないので、両先端部の関係位置についてのみ説明する。図１０は本実施例の外科手術用吸引器具３１の先端部３１ａ付近の断面図、図１１は同先端部３１ａが臓器等１１に接触した状態を示す説明図である。
【００５４】
図１０に示すように、本実施例の外科手術用吸引器具３１では、その回転体先端部３３ａが、吸引管先端部３２ａよりわずかに操作部側に後退した位置に配置される。回転体先端部３３ａが吸引管先端部３２ａより後退する距離Ｌは、０．２ｍｍである。
【００５５】
吸引管先端部３２ａが臓器等に接触した場合に、吸引管３２の内腔は吸引作業の際に術野よりも低圧になっているので、接触された臓器等はわずかに内腔に引き寄せられる。この実施例では、外径３ｍｍ、内径２．８ｍｍの吸引管に、通常手術室で吸引作業に用いられる吸引装置を用いて大気圧の２０分の１の吸引圧を掛けた場合を考えて距離Ｌを決定した。この吸引圧により、臓器等は吸引口３２ａに中に引き込まれようとするが、臓器等は剛性を持っているので、吸い込まれて吸引管に入り込む量は０．１ｍｍ以下である。したがって、回転体先端部３３ａを吸引管先端部３２ａより０．２ｍｍ程度後退させておけば、臓器等１１が直接回転体先端部３３ａに接触することがなく、無用な損傷が起こることはない。その結果、損傷した臓器等の一部を吸引管内に巻き込むこともない。
【００５６】
一方、凝血塊は粘性が増加しても剛性を持たないので、外科手術用吸引器具を推し進めれば、吸引管先端部３２ａが容易にその中に侵入でき、進入に伴い凝血塊の一部は吸引管先端部３２ａから吸引管３２内に入ってきて細分化される。したがって、回転体先端部３３ａをわずかに吸引管先端３２ａ部より後退して位置させても、回転体先端部３３ａで凝血塊を細分化する能力は衰えない。
【００５７】
なお、同じ吸引圧をかけた場合でも、吸引管の内径が大きければ臓器が吸い込まれて吸引管に入り込む量は大きくなり、吸引管の内径が小さければ、入り込む量は小さくなる。また、吸引圧が変われば、入り込む量は変化する。ちなみに、本実施例において上述のＬを０．２ｍｍとしたのは、Ｌの値を少しずつ変化させた外科手術用吸引器具を試作し、通常手術室で吸引作業に用いられる吸引装置を用いて発生できる吸引圧よりかなり高めの大気圧の２０分の１の吸引圧をその内径２．８ｍｍの吸引管にかけた状態で、先端部を臓器等に押し当てて損傷が生じるか否かを判断する試験を繰り返し、その結果を見て決定した。吸引圧や吸引管の内径が本実施例とは異なる外科手術用吸引器具を製作する場合には、同様の試験を行ってＬの値を決めれば良い。
【００５８】
図１１は、外科手術用吸引器具先端部３１ａが胸腔の奥に挿入されて臓器等１１に達した状態を示す。吸引管先端部３２ａは臓器等１１によりほぼ蓋をされた状態となり、吸引装置が働いていても、吸引管３２内の流れは緩慢になり、ほぼ停滞する。吸引管３２の中は、通常手術室で吸引作業に用いられる吸引装置を用いた場合で大気圧の２０分の１程度の吸引圧が生じる。
【００５９】
この吸引圧により臓器等１１は吸引口３２ａに中に引き込まれようとするが、臓器１１は剛性を持っているので、吸い込まれて吸引管に入り込む量Ｍは０．１ｍｍ以下である。一方、回転体先端部３３ａが吸引管先端部３２ａより後退する距離Ｌは０．２ｍｍであるから、臓器１１が直接回転体先端部３３ａに接触することがなく、無用な損傷が起こることはない。その結果、損傷した組織の一部を吸引管内に巻き込むこともない。
【産業上の利用可能性】
【００６０】
従来は、粘性が増加した凝血塊の体外への取り出す作業が極めて困難であったので、「出血したら、手術をやめておこう。」とまで考えられていたが、本発明の外科手術用吸引器具を用いることにより、この問題が解決された。
【００６１】
なお、上記実施例では、Ｎｅｅｄｌｅｓｃｏｐｉｃ  ｓｕｒｇｅｒｙに用いることを念頭に置いて、３ｍｍの吸引管を用いる本発明の外科手術用吸引器具を説明したが、吸引管の中でＵ字型に折り曲げられた回転体を高速回転することにより、粘性が増加した凝血塊を細分化して、吸引により体外に取り出すという考え方は、開腹手術や従来型内視鏡手術においても活用できるもので有り、各種手術の中で広く活用されることが期待できる。
【符号の説明】
【００６２】
１          実施例１の外科手術用吸引器具
１ａ        同  先端部
２          吸引管
２ａ        同  先端部
２ｂ        同  内壁
３          回転体
３ａ        同  先端部
４          操作部
４ａ        小型モーター
４ｂ        吸引管連結部
４ｃ        小型モーター連結部
４ｄ        連絡官
６          胸腔
７          胸膜
８          肺
９          洗浄液等
１０          凝血塊
１０ａ        粉砕された凝血塊
１１          臓器等
２３          実施例２の外科手術用吸引器具の回転体
３１          実施例３の外科手術用吸引器具
３１ａ        同  先端部
３２          実施例３の外科手術用吸引器具の吸引管
３２ａ        同  先端部
３３          実施例３の外科手術用吸引器具の回転体
３３ａ        同  先端部
【図１】
2019129901.tif 000003
【図２】
2019129901.tif 000004
【図３】
2019129901.tif 000005
【図４】
2019129901.tif 000006
【図５】
2019129901.tif 000007
【図６】
2019129901.tif 000008
【図７】
2019129901.tif 000009
【図８】
2019129901.tif 000010
【図９】
2019129901.tif 000011
【図１０】
2019129901.tif 000012
【図１１】
2019129901.tif 000013